(57)【特許請求の範囲】
【請求項１】
電気的な導体のために、空間的に離された少なくとも２つの接続個所と、該接続個所に配属された接触部材とを有する接続兼結合端子であって、前記接触部材が接続兼結合端子の内部において導電的に互いに結合されている形式のものにおいて、
−接続兼結合端子が２つのケーシング部分（２，３）から成る、絶縁材料から製作されたケーシング（１）を有し、前記ケーシング部分（２，３）が分離面（５）に沿って互いに接合されかつ互いに係止されており、
−前記両ケーシング部分（２，３）が少なくとも１つの接続個所（１４，１６；１４Ａ，１６Ａ；１４Ｂ，１６Ｂ）を有し、該接続個所（１４，１６；１４Ａ，１６Ａ；１４Ｂ，１６Ｂ）にて固有の電気的な導体が接続可能であり、
−接続兼結合端子が自動的な配線のために装備された切断クランプ接触個所（１８）の形をした少なくとも１つの接続個所（１８）を有し、該接続個所（１８）が前記ケーシング部分（２，３）の分離面（５）の領域に配置されており、
−前記ケーシング（１）内に、前記接触部材を形成する少なくとも１つの接触ばね（２０；２０Ａ；２０Ｂ）が配置されており、該接触ばね（２０；２０Ａ；２０Ｂ）が切断クランプスリット（２７）を有するばね部分（２４）を有し、該ばね部分（２４）が前記切断クランプ接触個所（１８）のための接触部材を形成しかつ前記両ケーシング部分（２，３）間にて、ほぼ前記分離面（５）の領域に配置されており、
−前記ケーシング（１）が、別の接続兼結合端子に形で連結する連結装置（５０，５１）を有し、該別の接続兼結合端子が対応する連結装置を有している
ことを特徴とする、電気的な接続兼結合端子。
【請求項２】
前記少なくとも２つの接続個所（１４ａ，１６ａ）の少なくとも１つの接続個所（１４ａ）がねじクランプ接触個所として構成されている、請求項１記載の接続兼結合端子。
【請求項３】
前記少なくとも２つの接続個所（１４，１６）の少なくとも１つの接続個所（１６）がねじのないクランプ接触個所として構成されている、、請求項１又は２記載の接続兼結合端子。
【請求項４】
前記ねじのないクランプ接触個所に、外部から作動可能である解離手段（３８）が配属されている、請求項３記載の接続兼結合端子。
【請求項５】
前記解離手段（３８）が前記ケーシング部分（２，３；２ａ、３ａ；２ｂ，３ｂ）内に可動に支承された解離キー（３８）を有している、請求項４記載の接続兼結合端子。
【請求項６】
前記解離キー（３８）が前記ケーシング（１）の一方の端面（１５）側にて、配属された前記接続個所（１４）の横又は下に配置されている、請求項５記載の接続兼結合端子。
【請求項７】
前記解離キー（３８）が紛失しないようにかつ移動可能に支承されている、請求項５又は６記載の電気的な接続兼結合端子。
【請求項８】
垂直に分割され、２部分から成る前記ケーシング（１；１ａ；１ｂ）の前記両ケーシング部分（２，３；２ａ，３ａ；２ｂ，３ｂ）が水平な方向で、接続兼結合端子の支持面（４）に対しほぼ平行に互いに係止されている、請求項１記載の接続兼結合端子。
【請求項９】
前記両ケーシング部分（２，３）の少なくとも一方（３）が異なる接続個所（１４）を有する種々のケーシング部分（２，２ａ）と選択的に結合できるように装備されている、請求項１から８までのいずれか１項記載の接続兼結合端子。
【請求項１０】
接続兼結合端子が該接続兼結合端子の支持面（４）の領域に、ねじなしのクランプ接触個所として構成された接続個所（１９）を有している、請求項１から９までのいずれか１項記載の接続兼結合端子。
【請求項１１】
前記接続個所（１９）が金属製の基板（７１）から上方へ起立する舌状部（７９）に接続させるために装備されている、請求項１０記載の接続兼結合端子。
【請求項１２】
接続兼結合端子が前記接触部材（２０；２０ａ，２０ｂ）と結合された、外部へ突出するか又は外部から接近可能な接触部分（６０，６１，２００）を有している、請求項１から１１までのいずれか１項記載の接続兼結合端子。
【請求項１３】
前記接触部分（２００）が接続兼結合端子の支持面（４）の領域に配置されている、請求項１２記載の接続兼結合端子。
【請求項１４】
前記支持面（４）の領域に少なくとも１つの固定部材（５５）が配置されており、前記接触部分（２００）が前記固定部材（５５）の外又は中に配置されている、請求項１３記載の接続兼結合端子。
【請求項１５】
前記接触部分（６０，６１）が接触Ｕ字形部材（６０，６１）として構成され、この接触Ｕ字形部材（６０，６１）が接触個所（４０，５８）で前記接触部材（２０）と結合されかつ接続兼結合端子の外側に位置するように配置されている、請求項１２記載の接続兼結合端子。
【請求項１６】
前記接触Ｕ字形部材（６０，６１）が接続兼結合端子の端面側の接続個所（４０，５８）に接続され、この接続個所（４０，５８）が導線のための他の接続個所（１６）の下側に配置されている、請求項１５記載の接続兼結合端子。
【請求項１７】
前記接触部分（６０，６１，２００）が金属製の基板（７１）の孔（７２，７５，２０３）における接触のために装備されている、請求項１２から１６までのいずれか１項記載の接続兼結合端子。
【請求項１８】
前記接触部分（６０，６１，２００）が側方のシャープな縁（６９，７３，２０２）をもって構成され、この縁（６９，７３，２０２）が孔縁と係合して電気的な接触を成す、請求項１７記載の接続兼結合端子。
【請求項１９】
前記接触部分（６０，６１，２００）を前記基板（７１）の孔に係止させる手段が該接触部分（６０，６１，２００）に設けられているか又は構成されている、請求項１７又は１８記載の接続兼結合端子。
【請求項２０】
前記接触部分（６１）が端面側にてほぼ部分円状に又はＶ字状に曲げられ、３つの個所で孔縁にクランプ可能に構成されている、請求項１９記載の接続兼結合端子。
【請求項２１】
接続兼結合端子が端面側に、接続しようとする導体に対する引張負荷を軽減する手段（１０５）を選択的に固定する装置（１１４，１１４′）を有している、請求項１から２０までのいずれか１項記載の接続兼結合端子。
【請求項２２】
接続兼結合端子が端面側に配置された接続開口、接続通路又は接続凹所（１１４，１１４′）を有し、これらが前記引張負荷を軽減する手段の固定部分（１１２）を受容できるように装備されている、請求項２１記載の接続兼結合端子。
【請求項２３】
前記引張負荷を軽減する手段の前記固定部分（１１２）が互いに連結された２つの接続兼結合端子の係止開口、係止通路又は係止凹所内へ差込み可能又は隣接する接続兼結合端子の間に差込み可能に構成されている、請求項２２記載の接続兼結合端子。
【請求項２４】
前記固定部分（１１２）の差込みに関連して、前記引張負荷を軽減する手段が１つの接続兼結合端子の端面の中央に向けられるか又は２つの隣接する２つの接続兼結合端子の間の領域に向けられる、請求項２３記載の接続兼結合端子。
【請求項２５】
稼働手段（９５）、特に精密安全部材を受容するために、接続兼結合端子が側方に配置された装置を備えている、請求項１から２４までのいずれか１項記載の接続兼結合端子。
【請求項２６】
前記装置が補助ケーシング（９２）を有し、この補助ケーシング（９２）が前記稼働手段（９５）のための接触手段（９４）を保持している、請求項２５記載の接続兼結合端子。
【請求項２７】
前記補助ケーシング（９２）が固有の部分として構成され、接続兼結合端子のケーシング（１，１ａ，１ｂ）に解離可能に結合されている、請求項２６記載の接続兼結合端子。
【請求項２８】
前記補助ケーシング（９２）が接続兼結合端子のケーシング（１，１ａ）に一体成形されている、請求項２６記載の接続兼結合端子。
【請求項２９】
前記補助ケーシング（９２）に閉鎖部材（１００）が配属され、該閉鎖部材（１００）が前記補助ケーシング（９２）に解離可能に結合されている、請求項２７又は２８記載の接続兼結合端子。
【請求項３０】
接続兼結合端子のケーシング（１，１ａ）を別の接続兼結合端子に連結する前記連結装置（５０，５１）が前記ケーシング（１，１ａ）の対向した側に配置された互いに相補する溝及びキー部材（５０，５１）を有し、該溝及びキー部材（５０，５１）が接続兼結合端子の支持面（４）に対し横に向けられかつこれに場合によっては係止手段（５３，５４）が配属されている、請求項１から２９までのいずれか１項記載の接続兼結合端子。
【請求項３１】
前記溝及びキー部材（５０，５１）が前記支持面（４）から離れる、下から上へ向けられた連結方向のために構成され、連結方向にストッパを有している、請求項３０記載の接続兼結合端子。
【発明の詳細な説明】
【０００１】
【産業上の利用分野】
本発明は請求項１の上位概念に記載した電気的な接続兼結合端子、特にこのような接続兼結合端子を有する、多極の接続兼結合端子を製造するための構成ユニット及びこのような接続兼結合端子を用いて製造された多極の接続または結合端子装置に関する。
【０００２】
【従来技術】
例えばＤＥ４２１８７４１Ａ１号明細書に記載された、電気的な装置又は構成部材の接続個所を自動的に配線するための方法においては、接続端子として構成において自動的な配線のために装備された切断クランプ接触個所を有する接続兼結合端子部材が使用されている。切断クランプスリット内には導線敷設工具によりプログラム制御されて所定の導線敷設路に沿って敷設された電気的な導線が電気的な接触を形成して自動的に押込まれ、次いで導線が場合によってはクランプ接触個所のすぐ近くで切断される。絶縁材料ケーシングの内部に手で触れないように配置された、切断クランプスリットを有する電気的な接触手段には、電気的な装置、例えばコンデンサ、ランプソケット又は前接続装置の接続導線が自体公知の形式で接続されている。結合端子としての構成においてクランプ装置は切断クランプ接触個所の形をした、空間的に離された２つの接続個所を有している。これらの接続個所は端子の絶縁材料の内部に配置された接触手段によって導電的に互いに結合されている。この場合、両方の切断クランプ接触個所は自動的な配線のために装備され、両方の切断クランプ接触個所において切断された導体端部が端子内で手に触れないように保管されるような処置が採用されている。
【０００３】
このように構成された接続個所はＥＰ０５７３７９２Ａ１号明細書に開示されているような電気的な接続端子装置に用いられる。この場合には配置は、接続端子装置が例えばランプソケット又はコンデンサを接続するために装備されたソケット部分に一体成形されるか又は固定されて、接続端子装置が電気的な運転手段を直接的に保持するために装備された接続部材の１部を成すように行なうことができる。
【０００４】
この接続端子装置は実地においては既にすぐれていることが証明されている。この接続端子装置は、その切断クランプ接触個所において、配線された装置、例えばガス放電ランプのための電気的な照明具の内部の配線のための電気的な導体の十分にガス密な接触を保証する。この装置が原則的に同じ構造形式で十分に大きな生産量で製造される限りにおいては、接続端子装置をそのつどの目的決定と機能とに合わせて、設計しかつ製造するにはなんら問題がない。しかしながらこの自動的な配線に適した接続又は結合端子に対しては、比較的に少ない単個部分で必要に応じて種々異なる接続可能性を可能にして、個々の要求に応え得るようにしたいという要望が増している。例えば電気的な照明具においては内部の配線は自動的に切断クランプ技術にしたがって行ないたいのに対し、照明具を電網の外部の供給導線に接続することは、従来照明具接続で一般的であるようにねじ端子又はねじなしのクランプ接触を介して行ないたい。さらに、電気的な導体を用いた内部配線はわずかな横断面で十分であるのに対し、電網供給導線は家庭用設備の大きな導線横断面を有している。
【０００５】
【発明の課題】
本発明の課題は製作が簡単でかつ経済的であって、種々異なる要求に適合でき、ひいては使用者のもとでのストックが最小に減じられるような、自動的な電気的な配線に適した接続兼結合端子を提供することである。
【０００６】
【課題を解決する手段】
課題を解決するためには、冒頭に述べた形式の接続兼結合端子は、本発明によれば、請求項１の特徴部分に記載した構成的特徴をもって構成されている。
【０００７】
端子は少なくとも２つの部分から成り、各部分は少なくとも１つの接続個所を有し、互いに形状接続により１つの単個部材に結合されている。この単個部材には特に内部配線の電気的な導線を接続するために定められている、自動的な配線のために装備された切断クランプ接触個所の形をした少なくとも１つの接続個所が存在しているのに対し、少なくとも１つの別の接続個所は例えばねじクランプ接触個所として又はねじなしのクランプ接触個所として構成されていることができ、特に外部の配線の導線を接続するために装備されている。この他方の接続個所の構成とは無関係に端子は、同じ又は異なる機能の他の単個部材との形状接続的な連結を行なうための装置を有している。
【０００８】
さらに利用者には多極の接続兼結合端子を製作するために本発明によれば、特に単極又は多極の接続又は結合端子の形をした前述の形式の多数の単個部材から成り、これらの単個部材がそれぞれ複数の接続個所を有し、これらの接続個所の少なくとも１つが自動的な配線のために装備された切断クランプ接触個所であるのに対し、少なくとも１つの別の接触個所がねじクランプ接触個所又はねじなしの接触クランプ個所として構成されている構成ユニットが提供される。すべての単個部材は同じ側方に配置された連結手段を有し、これらの連結手段は同じ又は異なる機能の、多極の端子又は端子条片に並べられた単個部材を形状接続で連結するために装備されている。
【０００９】
この処置は利用者に比較的数少ない単個部分のストック、経済的な配線又はそのつどの要求に適した端子装置の組立てを可能にする。
【００１０】
本発明の接続又は結合端子の有利な実施例は請求項２以下に記載されている。
【００１１】
【実施例】
図１から４までに示された接続又は結合端子の第１実施例は２部分から構成されている。接続又は結合端子は２つの部分２，３から成る、絶縁材料から製作されたケーシング１を有している。このケーシング１の部分は支持面４に対して垂直に向けられた分離面５に沿って互いに接合されている。両方の部分ケーシング２，３は互いに係止しあっている。このためには特に図２から図４までに示されているように一方の部分ケーシング２に３つのフック状の係止クランプ６，７が一体成形されている。この係止クランプ６，７は分離面５を越えて突出し、適当な弾性的なアーム８，９に配置されている。互いに向き合った係止クランプ６は支持面４に直接的に続いて配置されているのに対し、係止クランプ７は部分ケーシング２のほぼ中央に係止クランプ６の上方に間隔をおいて設けられている。
【００１２】
他方の部分ケーシング３においては係止クランプ６，７に、一体成形された係止部材１０，１１が配属されている。この係止部材１０，１１は部分ケーシング２，３を接合した場合に図１から図４までに示した形式で係止クランプ６，７により背後から掴まれる。この場合、係止部材１０は外部から部分ケーシング３に、向き合った側において一体成形された条片状の部分の形に構成されている。これに対し係止部材１１は部分ケーシング３の内部に位置する横リブによって形成されている。配置は両方の部分ケーシング２，３が図３、図４に関し、水平方向に、すなわち支持面４に対し平行に差嵌められかつ係止されるように、すなわちケーシング１として接合され得るように行なわれている。
【００１３】
ケーシング１には空間的に互いに離されて複数の接続個所が電気的な導線のために設けられている。これらの接続個所の内、それぞれ２つの接続個所は並んで、符号１４で示されて、部分ケーシング２の後方の端面１５の範囲に配置され、ひいては整合させられて２つの別の接続個所は符号１６で示されて、他方の部分ケーシング３の前方の端面１７の範囲に配置され、両方の端面１５，１７に同じ構成が与えられている。符号１４，１６で示した接続個所はそれぞれねじなしのクランプ接触個所であり、この構造についてはあとで詳細に述べることにする。
【００１４】
ケーシング１の上側には別の接続個所１８が存在し、この接続個所１８は自動的な配線に適した切断クランプ接触個所の形で構成されている。
【００１５】
さらにケーシング１の下側には支持面４の範囲において符号１９で示された、差込み接触接続個所の形をした接続個所が存在している。この接続個所は特にアースプラグ２０（図４）を接続するために定められている。
【００１６】
これらすべての接続個所１４，１６，１８，１９には電気的な接触手段が配属され、これらの接触手段はケーシング１内に配置された、導電性の良い材料、例えば導電ブロンズ又は黄銅から成る共通の接触ばね２０に構成されかつ導電的に互いに結合されている。
【００１７】
接触ばね２０は個々には薄い金属薄板ストリップから成り、この金属薄板ストリップはほぼ閉じられた台形に曲げられており、この台形は１つの平らな下方の脚部２１とこの脚部２１の端部から斜めに内方へ傾けられた２つの側方の脚部２２と下方の脚部に対してほぼ平行な１つの２部分から成る上方の脚部２３とを有している。上方の脚部の両方の部分の一方は舌状部２４の形で、下方の脚部２１の長さ寸法のほぼ中央において、直角に上方へ曲げられているのに対し、他方の部分は符号２５で示された部分で同様にほぼ直角に下方へ曲げられ、端縁で下方の脚部２１の近くに達している。舌状部２４においては導入斜面２６を備えた、縁の開放した切断クランプスリット２７が構成されている。この切断クランプスリット２７は舌状部２４の上方の端縁から延びかつ切断クランプ接触個所１８のための接触手段を形成している。
【００１８】
接触ばね２０内にはほぼＣ字形に曲げられた、接触ばね２０の内側輪郭に合わせられた、ばね作用を有する鋼板から成るクランプばね２８が挿入されている。このクランプばね２８は接触ばね２０の折り曲げられた部分２５により保持されており、接触ばね２０に接続された電気的な導線を固定するために役立つ。
【００１９】
接触ばね２０の側方の脚部２２には接続しようとする導線の絶縁された端部を受容するために定められた開口が設けられている。これらの開口の内、部分ケーシング２における接続個所１４に配属された開口は、側方へ開放した切欠き２９の形を有し、部分ケーシング３における他の接続個所１６に配属された開口は楕円形の孔３０として形成されている。切欠き２９と孔３０はそれぞれ部分ケーシング２もしくは３において接続個所１４もしくは１６に設けられた導線導入通路３１もしくは３２（図３、図４）に向けられている。この導線導入通路３１もしくは３２は外方に向かって符号３３もしくは３４で示された形式で直径の大きな円筒形の区分に拡大されている。この円筒形の区分はこの接続個所において外部に対して必要な接触保護を保証するために、絶縁されていない導線部分を受容するために役立つ。
【００２０】
切欠き２９と開口３０は、上方のシャープな縁３５で上方の切欠きもしくは開口縁に達しているクランプばね２８の側方の脚部３６で覆われている。接続しようとする電気的な導線を押し込んだ場合に脚部３６は弾性的に内方へ曲げられ、その結果、脚部３６はその縁３５で接触ばね２０の上方の脚部２３の各部分に押付けられ、その際に同時に導線端部へ喰い込まされ、この導線端部を引張力に対してロックする。接続された導線端部を再び解除するためには各部分ケーシング２３内に解離キー３８が設けられている。この解離キー３８は図２と図３とに１つが示され、この解離キー３８の作動は両方の接続個所１４もしくは１６において同時に導線接触を解消することを可能にする。
【００２１】
ほぼＴ字形の解離キー３８は横断面が方形のシャフト３９で、接続個所１４もしくは１６の下側に配置された、端面１４もしくは１７から延びる、導線導入通路３１もしくは３２に対して平行に向けられた長手方向案内４０内で移動可能に支承されている。シャフト３９は端部側にフック部分４１を備え、このフック部分４１は通路状の長手方向案内４０を通して押込まれたあとで長手方向案内４０の内縁に引っ掛かる。したがって解離キー３８は紛失しないように各部分ケーシング２もしくは３に支承される。
【００２２】
特に図３から判るように解離キー３８はそのシャフト３９の前方の端部で、接触ばね２０の、解離キー３８に向いた側方の脚部２２における開口４２を通って突出する（図２参照）。解離キー３８を作動させると、そのシャフト３９を介して、それに向き合ったクランプばね２８の脚部３６が内方へ押され、その結果として、縁３５が接続された導体を解放し、この導体は端子から引出され得るようになる。
【００２３】
解離キー３８がそれぞれ接続個所１４もしくは１６の下でケーシング１の端面１５もしくは１６に配置されていることにより、きわめて安価でかつ操作しやすい関係が得られる。
【００２４】
横断面で見てほぼ方形のケーシング下部分１の上側における切断クランプ接触個所１８は両方の部分ケーシング２，３の適当に一体成形された部材により一緒に形成されている。接触ばね２０の、切断クランプスリット２７を保持する舌状部２４はほぼ正確に分離面５に位置している。舌状部２４は両側で部分ケーシング２もしくは部分ケーシング３における平らな支持面４３もしくは４４によって支えられ、狭幅側で、部分ケーシング２に一体成形された条片状の２つのケーシング部分４５の間に保持されている。このケーシング部分４５はケーシングを差嵌めた場合に他方のケーシング３における対応する溝状の切欠き４６（図２）に係合する。両方の支持面４３の範囲においては切断クランプスリット２７と整合する一貫した導入スリット４７が形成されている。この導入スリット４７は接続しようとする導体のために導入斜面４８を備え、導入スリット４７の幅は切断クランプスリット２７の幅よりもいくらか大きい。
【００２５】
図２から判るように壁部が半分両方の部分ケーシング２，３の各々に配属されている導入スリット４８には、両方の部分ケーシング２，３の各々において、それぞれ１つの、導入スリット４８に対称的に向けられた、平行側面的に制限された、軸平行な、溝状の凹部４９が接続されている。この凹部４９の幅は導入スリット４８の幅よりも大きい。溝状の凹部４９の寸法は、接続個所１８に接続された導線の、導入スリット４７の近くで切断された端部が、手に触れないように配属された溝状の凹部に保管されるように選択される。これは、導線端部の自由な導線部分が溝状の凹所４９の範囲における規格化された試験フィンガによって到達されてはならないことを意味する。同時に両方の溝状の凹部は、個々にはＤＥ４２１８７４１Ａ１号明細書に開示されているような自動的な配線を行なう場合に導線敷設工具を案内するためにも役立つ。
【００２６】
溝状の凹所の側方では両方の部分ケーシング２，３の各々において、片側にはほぼＵ字形の連結部分５０が一体成形され、反対側には相補的な条片側の連結部分５１が一体成形されている。
【００２７】
図１から判るように、両方のＵ字形の連結部分５０は接合された状態でＴ字溝を形成する。このＴ字溝は分離面５に対して対称的に支持面４に対して垂直に延びるように配向され、Ｔ時溝は底で両方の部分ケーシング２，３の平らな側面に接続している。
【００２８】
連結部分５０，５１は、図１８、図１９から判る形式で任意の組合せで互いに並べることのできる、図１に示された単個端子部材の形状接続的な連結を行なうための相補的な装置を形成する。Ｔ字溝５２の範囲で内側にそれぞれ設けられた係止突起５３は、単個部材が接合された場合、各隣接する単個部材の連結部分５１の内側にある対応する係止溝５４に係合するので、連結装置の確実なロックが得られる。
【００２９】
連結部分５０はそれぞれ部分ケーシング２，３の高さ寸法の１／２よりも少ない部分に亘ってしか延びていないので、２つの単個部材の特に簡単な連結過程が得られる。すなわち、一方の単個部材がその連結部分５１で簡単に下から他方の単個部材の連結部分５０に当つけられ、係止突起５３が係止溝５４内へ係合するまで上方へ移動させられる。この位置で単個部材の上面は互いに整合するので、多極性の端子装置の形態の統一的な形状安定した構成ユニットが得られる。支持面４の範囲においては部分ケーシング３には下に、その形状が特に図１３、図１４に示されている、いわゆる固定コッタ５５（図３、図４）の形をした固定手段が一体成形されている。固定コッタ５５はほぼアイ状に２つのストッパ肩５６と２つの係止突起５７を備えて構成されている。固定コッタ５５は円錐状に形成された端部で固定薄板又はそれに類似したものの対応する孔に押込まれる。この場合、固定コッタは孔縁が肩５６を通過し、ひいては確実なロックが保証されるまで弾性的に変形される。固定コッタ５５は部分ケーシング３に一体成形されており、他方の部分ケーシング２の両方の係止クランプ６の間に係合するので、固定コッタは同時に端子が組立てられた状態で両方の部分ケーシング２，３の間の係止結合の非解離性を保証する。さらに固定コッタは連結部分５０を介してほぼ並べられた別の単個部材を紛失しないように固持する。何故ならばこの単個部材はその上面でそれを上側から掴む連結部分の下方の縁の間、ひいては支持体の上にロックされるからである。
【００３０】
部分ケーシング３の少なくとも端面１７においては、長手方向案内４０の下側に別の接続個所５８が設けられている。この接続個所はアースＵ字形部材６０もしくは６１（図２）の偏平なプラグ部分５９を受容するために定められている。図３、図４には、接続個所５８において導入通路６２が内方へ接触ばね２０に向かって延び、この導入通路が接触ばね２０に設けられたスリット状の差込みブッシュ６３に通じていることが示されている。この差込みブッシュ６３は接触ばね２０の下方の脚部２１の範囲に一体成形されている（図２参照）。
【００３１】
差込みブッシュ６３の範囲においてはクランプばね２８は符号６４で示された個所で切欠かれかつ符号６５で示された個所で、側方の平行な切込みによって切出された小さなロック舌状部を備えている。このロック舌状部はシャープな自由縁部を有し、接続個所５８を通して導入されたアースＵ字形部材６０又は６１のプラグ部分５９を抜けないように固定する。
【００３２】
両方のアースＵ字形部材６０，６１は接続個所５８がごく一般的に保護導体接続個所として設けられているのに対し、選択的に使用することができる。
【００３３】
アースＵ字形部材６０はプラグ部分に続いてほぼ直角に折曲げられたストリップ状の薄板成形部分を有している。この薄板成形部分は端部側で符号６６で示した個所（図２、図４）で上方へ折曲げられている。この場合、折曲げられた端部においては２つの平行な長手方向スリットにより３つの接触兼ロックフィンガ６７が構成されている。これらの接触兼ロックフィンガ６７の内、中央のフィンガは両方の短い外側のフィンガに対していくらか内方へ曲げ込まれている。薄板成形部分の側方には共通の高さに位置する２つの肩６８が切出され、この肩６８に続いて符号６９で示された、側方のシャープな縁が楕円形の開口７０によって制限された、弾性的に変形可能な脚部に外側で構成されている。
【００３４】
薄板成形部分の寸法は、薄板成形部分が薄板基板７１（図４）に設けられた円筒状の孔７２内に差込まれ、この孔７２内で接触及びロックフィンガ６７を介して、図４に示されているようにロックされ得るように選択されている。この場合にはシャープな縁６９の相互間隔は孔直径に関して、孔７２内へアースＵ字形部材６０を押込んだ場合に縁６９が孔縁を引掻くか又は孔縁にいくらか喰込み、そこに存在していたラック又は汚染残留物が除去され、申し分のない電気的な接触が形成されているように選択されている。
【００３５】
差込み接触６９に続いて同様に直角に下方へ曲げられた成形部分７３（図２）を有するが、図５、図６に示したように鉛直な軸を中心としてほぼＶ字形に曲げられている他方のアースＵ字形部材６１も原理的には同じように作用する。成形部分７３は互いに向き合った長手方向縁部７４においてシャープなエッジを有してる。すなわち、成形部分７３は端部において、金属製の基板７１の、符号７５で示された孔への導入を容易にするために軽いテーパを有している。
【００３６】
この孔７５へ押込む場合にＶ字形の成形部分７３の両方の脚部が弾性的に内方へ押される。この場合、脚部のシャープな縁７４は孔縁に沿って引掻くか又は孔縁に喰込み、ひいてはラック又は汚染残留物を除去し、良好な接触を形成する。同時に孔縁における３点支持が得られる。
【００３７】
成形部分７３に曲げ線の範囲で切出された係止部７６はそれに向き合って切出された肩７７と協働して、係合されたアースＵ字形部材６１を孔７５内で申し分なく形状接続によりロックする。
【００３８】
部分ケーシング３の下側に設けられた接続個所１９においては図３において符号７９で示された支持薄板から上方へ曲げられた舌状部又はアースプラグ２０が接続され得る。このためには接触ばね２０は下方の脚部２１の範囲に適当なスリット状の開口８０を備えている。この開口８０はケーシング１における導入通路８１と整合し、クランプばねにおいて側方で切出された、部分的に起立させられた２つのロック舌状部８２を案内している。斜めに互いに向き合って配向されたロック舌状部８２はアース舌状部７９又はアースプラグ２０を差込んだ場合に弾性的に曲げられ、図３、図４に示された形式で拡開させられる。
【００３９】
図３に示された実施例では接続個所１９は固定コッタ５５の側方に、アース舌状部７９が簡便に導入できるように配置されているのに対し、図４の実施例ではアースプラグ２００は差込み部２０１が支持面４を越えて突出する部分で固定コッタ５５の内部に位置しかつこれを越えて両側で突出するように折曲げられている。プラグ部分２０１は向き合った側において、アースＵ字形部材６０の場合のようにシャープな長手方向縁２０２をもって構成されている。この長手方向縁２０２は支持薄板７１の孔２０３内へ押込まれる場合に、孔２０３の縁を引掻くか又は孔２０３の縁に喰込み、ひいては良好な接触を形成する。
【００４０】
これまで図１から図４までに基づき記述した単極の接続兼結合端子の単個部材は、切断クランプ接触個所４８は別として、両方の端面側において導体接続のためにねじなしのクランプ接触個所をもって構成されている。これは特に装置、例えば照明具の内部の配線のために用いられる。
【００４１】
国によっては例えば照明具をねじ端子を介して家庭用設備の導線に接続できるようにしたいという希望がある。これを可能にするためには図１から図４までの単個部材は図７から図１０までに示された形式で変更されている。
【００４２】
第１の部分ケーシング２は外側の寸法と切断接触個所１８及び連結部材５０，５１の範囲とが図１から図４までの部分ケーシング２と同じように構成された部分ケーシング２ａによって置換えられている。したがってこの部分ケーシングは同じ形式で図１と図４との第２の部分ケーシング３と差嵌め結合して係止することができるので、ケーシング全体が符号１ａで示されている、図７に示された端子単個部材が得られる。
【００４３】
ケーシング１ａ内には接触手段として接触ばね２０のほぼ半分が形成する変更された接触ばね２０ａが配置されている。圧刻された差込みブッシュ６３ａと舌状部７９（図３）のため又はアースプラグ２００（図４）のための開口８０ａとを有する下方の脚部２１ａには、部分ケーシング３の側で、内方へ傾斜した側方の脚部２２ａが接続している。この脚部２２ａは開口３０ａ，４２ａを有しており、これらの開口３０ａ，４２ａは既に述べたような意味を有している。脚部２２ａはほぼ直角に上方へ曲げられた舌状部２４ａに続いており、この舌状部２４ａは導入斜面２６ａを備えた切断クランプスリット２７ａを有している。
【００４４】
下方の脚部２１ａはその他方の端部において符号８５で示したように１８０°折り返され、ねじ孔８６を備えている。このねじ孔８６内には締付けねじ８７がねじ込み可能である。
【００４５】
接触ばね内にはクランプばね２８ａが挿入されている。このクランプばね２８ａはその主要な部分において図２のクランプばね２８と似たように形成されている。同じ部分には同じ番号にａを加えて示してある。クランプばねの内方へ傾斜した脚部３６ａとは反対の端部においてはクランプばね２８ａは符号８８で示されているように直角に上方へ曲げられかつ部分ケーシング２ａ内で軸方向に支えられている。
【００４６】
図７、図１０から判るように部分ケーシング２ａは切断クランプ接触個所１８の溝状の凹部４９を形成する部分に続いて、半楕円形の貫通した開口９０をその上側に備えている。この開口９０を通って、部分ケーシング２ａ，３が接合された状態で締付けねじ８７が上方から接近可能である。この場合、空間的な関係は基本的には図１２の断面図に示されている如きである。
【００４７】
後ろ側の導線導入通路３１ａは両側で締付けねじ８７に通じている。この締付けねじ８７で前記導線導入通路３１ａは間に配置されたシム円板を介して接触ばね２０ａの端部部分８５に対して締付けられる。
【００４８】
接触ばね２０とクランプばね２８ａは部分ケーシング２内に位置する側で、図２のクランプばね２０の相応する部分と同じに形成されているので、既に述べたように、２つのねじ接続接触個所１４ａを有する部分ケーシング２ａに、既に記述した普通の他方の部分ケーシング３を結合することができるので、全体としては１対のねじ接触個所１４ａと１対のねじなしの接触個所１６とを有する単個部材が得られる。前記接続個所にはこの場合にも解離キー３８を配属しておくことができる。この解離キー３８の長手方向案内は符号４０で図７に示されている。これに対し、他の部分は図２と同じであり、したがって同じ符号で示され、これについてもう一度説明することはしない。
【００４９】
連結部材５０，５１は図１から図４までの実施例と同じように構成されているので、図７の単個部材は図１の単個部材と任意の順番で多極の端子装置に組合せかつ並べて１つの構成ユニットを構成して係止することができる。
【００５０】
さらに付言しておくが、図７から図１０までの部分ケーシング２ａにおいては、図２の部分ケーシング２の相応の部分と同じである部分には同じ番号にａを加えた符号が付けられており、これらについてもう一度説明することはしない。
【００５１】
さらに原則的には部分ケーシング３を部分ケーシング２ａと似たように２つのねじクランプ接触個所をもって構成し、さらに考えられ得るように、所望の使用目的に関連して部分ケーシング２を図２のように２つのねじなしの接触個所のためにそのままにしておき、部分ケーシング３だけを２つのねじクランプ接触個所１６のために装備することもできる。
【００５２】
いずれの場合にも単に相応の部分ケーシング２及び又は３だけを相応に構成し、機能に合わせられた接触ばねを、配属されたクランプばねと共に設ける必要しかない。しかしながら導線接続個所１４及び１６の構成とは無関係にこれらの単個部材のすべては同じに構成されかつ同じ個所に配置された、自動的な配線に適した切断クランプ個所１８を有していることができる。さらに単個部材は同じ連結手段５０及び又は５１を備えている。この連結手段は単個部材を同じ又は異なる機能を有する単個構成部分と組合せかつ係止して多極の端子装置を形成することを可能にする。
【００５３】
これまでは接続個所が異なる構成を有する接続兼結合端子の２つの実施例が説明されているが、端子部材に、電気的な稼働手段、例えばコンデンサ又は精密安全装置を保持する装置が直接的に与えられている要望が存する使用例もある。このような使用例の１例は図１１から図１７までに示されている。図示された実施例は精密安全装置をもって構成されており、その他の点では片側で図１、図７による単個部材と形状接続的に連結できるように装備されている。
【００５４】
基本的な構造においては、図１１から図１４までの単個部材は図７から図１０までの単個部材に相応している。したがって同じ部分には同じ番号にｂをつけ加えた符号が付けられており、同じ作用を有する部分をもう一度説明することは省略した。
【００５５】
部分ケーシング２ｂがねじ接触端子として構成された２つの接続個所１４ｂを有し、かつ他方の部分ケーシング３ｂがねじなしのクランプ接触個所の形をした２つの接続個所１６ｂを備えた両方の部分ケーシング２ｂと３ｂにおいては、連結手段５０ｂに向き合った側に、横断面が方形である箱の形式で構成された安全装置ケーシング９２が一体成形されている。この安全装置ケーシング９２は２部分から成っている。安全装置ケーシング９２はそれぞれＵ字形である２つのケーシング部分９３から成り、このケーシング部分９３は部分ケーシング２ｂもしくは３ｂと結合されており、符号９４で示すように両方の部分ケーシング２ｂ，３ｂの間の分離面５においてオーバラップしている。部分ケーシング２ｂ，３ｂの上側に配置された、接続個所１８ｂにおける切断クランプ個所はクランプ接触個所１８（図１）もしくは１８ａ（図７）と同じく構成され、したがってこれについてもう一度詳細に説明することは省略する。
【００５６】
両方の部分ケーシング２ｂ，３ｂ内には２つの別個の接触ばね２０ｂ，２０ｂ′が配置されている。これらの接触ばね２０ｂ，２０ｂ′の内、接触ばね２０ｂは図２の接触ばね２０の右側と同じように形成されている。接触ばね２０ｂの下方の脚部２１ｂには内方へ傾けられた側方の脚部２２ｂが、部分ケーシング２ｂに配属された側において接続しており、これには開口３０ｂ（図１６）が設けられている。これに対し下方の脚部２１の範囲においては差込みブッシュ６３ｂが圧刻されている。符号２３ｂではほぼ分離面５ｂの近くまで延びる上方の脚部が示されている。
【００５７】
他方の側では下方の脚部２１ｂは側方の脚部２２ｂに続いている。この脚部２２ｂは第１の側方の脚部２２ｂに対してほぼ平行に向けられているので、接触ばね２０ｂにはほぼ菱形の形状が与えられている。図１２で見て左側の側方の脚部２２ｂには鉛直方向の舌状部２４ｂが続いており、この舌状部２４ｂは図１５、図１６に示すように導入斜面２６ｂを備えた切断クランプスリット２７ｂを有している。
【００５８】
ねじなしのクランプ接触個所として構成された、部分ケーシング３ｂ内の接続個所１６ｂの範囲の接続関係は図２の場合と同じであり、これについての説明は不要であろう。
【００５９】
接触ばね２０ｂにはクランプばね２８ｂが挿入されており、このクランプばね２８ｂの基本的な形状は図１２に示されている通りである。クランプばね２８ｂはほぼ３角形であって下方の脚部から切出されかつ曲げ出された舌状部９５を有している。
【００６０】
下方の脚部２１ｂの側方から直角に接触ばね２０ｂは結合舌状部９６（図１５、図１６）を有している。この結合舌状部９６は図１４に示された形式で安全装置ケーシング９２内へ突入している。この安全装置ケーシング９２内で結合舌状部９６はその上に差嵌められた、ほぼＵ字形の弾性的な安全装置保持クランプ９４と導電的に結合されている。安全装置保持クランプ９４は符号９５で示された精密安全装置を公知の形式で受容するために役立つ。
【００６１】
図１４の安全装置保持体９４からの精密安全装置９５の間隔には他方の接触ばね２０ｂ′（図１２）の結合舌状部９９（図１７）と適当な形式で図１４に示すように導電的に結合された第２の安全装置保持クランプ９４が配置されている。
【００６２】
部分ケーシング２ｂ内に電気的に絶縁されて配置された接触ばね２０ｂ′はほぼＬ字形に曲げられ（図１２）かつ符号８５ｂで示されているように折込まれた部分で２重壁に構成されかつねじ孔８６ｂを備えている。ねじ孔８６ｂ内にねじ込まれた締付けねじ８７ｂは図１２に示されている。締付けねじ８７ｂはケーシング開口９０ｂを介して外部（上方から）接近可能である。
【００６３】
精密安全装置９５を両方の安全装置保持クランプ９４に挿入するためには図１１において符号１００で示された箱形のカバー部分が用いられている。このカバー部分は１つの操作グリップ１０１とそれぞれ対を成して鉛直方向に相上下して一体成形された２つのクランプアーム１０２，１０３を有している。
【００６４】
クランプアーム対１０２，１０３の間には精密安全装置９５は弾性的に挾持される。この場合、交換安全装置は上方のクランプアーム１０２，１０３と箱形のカバー部分のカバー壁１０４との間の空間に配置することができる。カバー部分１００は上方から安全装置ケーシング９２内へ、アーム対１０２，１０３の間に保持された精密安全装置９５が保持クランプ９４の間にクランプされるまで押し込まれる。
【００６５】
精密安全装置を備えた、図１１に示された単個部材においても、両側にねじなしのクランプ接触個所を備えること又は左側の代りに右側にねじクランプ接触個所を備えていることも、２つのねじクランプ接触個所を備えていることもできる。
【００６６】
さらに選択的に、安全装置ケーシング９２を部分ケーシング２ｂ，３ｂに一体成形するのではなく、別個の部分として構成し、例えば側方に一体成形された連結部分５０又は５１を用いて図２に相応して、図１又は図７の単個部材に連結することもできる。この場合にはこの単個部材においては図１２による接触ばね２０ｂと２０ｂ′もしくは図８による接触ばね２０ａとこれに対して絶縁された適当な第２の接触ばねとを安全装置ケーシング９３の底の上の安全装置保持クランプ９４に導電的に接続できる装置を両方の接触ばねが有するように両方の接触ばねを配置する構成をとるだけでよい。
【００６７】
前述の実施例に基づき先に説明した種々異なる機能の単個部材（その内の３つは図１、図７、図１１に示されている）は、すでに述べたように、同じ又は異なる機能の単個部材とと任意の順序で端子装置に組合わせ、図１８と図１９とに２極及び３極の接続兼結合端子の１例が示すように同じ連結部材５０，５１を介して形状接続で互いに係止することができる。単個部材は下側に固定コッタ５５を保持しているので組合わされた構成ユニットは簡単な形式でケーシング又はそれに類似したものの底において、配属された固定孔に係止される。
【００６８】
したがって本発明は同じ機能及び異なる機能を有する単個部材が含まれ、利用者が数少ない種々の単個部分で、種々の単個部材をかつこれから種々の端子装置をそのつどの要求に応じて構成することを可能にする構成ユニットをも含んでいる。
【００６９】
このように組立てられた端子装置、例えば多極の端子又は端子条片には、この端子装置の利用者にとって有利であり、単個部材における変更を必要とすることなく接合できる付加的な装置を配属することもできる。
【００７０】
これは図１８、図１９に基づき、接続しようとする導線特に外部の配線のための導線のための引張負荷軽減装置と関連して示されている。
【００７１】
引張負荷軽減装置は平らでほぼＴ字形のソケット部分１０５を有し、このソケット部分１０５は絶縁材料から成り、このソケット部分１０５にはバンドヒンジ１０６を介して導線クランプウエブ１０７が紛失しないように保持されている。導線クランプウエブ１０７はソケット部分１０５の横脚部におけるねじブッシュ１０９が配属されてる２つの締付けねじ１０８でソケット部分とねじ結合されている。ソケット部分１０５とクランプウエブ１０７とに設けられた、低く配置されたクランプリブ１１０は、通常の形式で、導線絶縁体の弾性的な変形のもとでクランプリブの間にクランプされた導線の位置の正しい、引張り力に強い固定を保証する。
【００７２】
ソケット部分１０５の横脚部に向き合った長手方向脚部１１１の端部にはそれぞれ対を成して互いに配属された係止フィンガ１１２が配置されている。これらの係止フィンガの各々は外方へ向いた係止フック１１３を保持している。
【００７３】
引張負荷軽減装置を図１、図７、図１１による単個部材に連結するためには単個部材の部分ケーシング２，２ａ，２ｂはそれぞれ端面１４もしくは１４ａ，１４ｂから発して、横断面が方形である、平行側面で制限された接続通路１１４を備えている。この接続通路１１４は部分ケーシング２，２ａ，２ｂの長さの１部に亘って延び、側方で２つの平行なウエブ１１５によって制限されている。ウエブ１１５は各部分ケーシングの隣接する側面に対して内方へ後退させられている。ウエブ１１５は分離面５に向いた側で、側壁を貫き、外方へ開放する方形の係止開口１１６によって制限されている。この係止開口１１６の正確な寸法は図３に示されている。一体成形されたウエブ部分１１７（図３）によって下側で制限された接続通路１１５は係止開口１１６の後ろで部分ケーシング２（２ａ，２ｂ）の下側で、同様に図３に示すように、係止アーム８の間の範囲において開口している。
【００７４】
接続通路１１４の横断面寸法は各接続通路１１４が図１８に示された形式で係止フィンガ１１２を受容するために装備され、係止フィンガの係止フックが押込まれた状態で係止開口１１６内へ係合し、ひいては引張負荷軽減装置の成形部分１０５を動かないように固定する。
【００７５】
図１８に示されているように、ソケット部分１０５における係止フィンガ対１１２の側方間隔は単個部材、すなわちその部分ケーシング２の格子寸法に合わされているので、２極の端子装置の場合には、成形部分１０５はその係止フィンガ１１２で、隣接する単個部材の接続通路１１４に挿入されることができる。引張負荷軽減装置ひいてはリブ１１０の間にクランプされたケーブルは、両方の単個部材、ひいては接続個所対１４の間の中央に位置決めされる。
【００７６】
ウエブ１１５は部分ケーシング２（２ａ，２ｂ）の隣接する側壁に対し、連結部材５０，５１を介して互いに形状接続で連結された単個部材間にそれぞれ導入通路１１４′が制限されるように後退させられている。この導入通路１１４′は下方に開放して単個部材の接続通路１１４と同じ横断面寸法を有している。並べられた単個部材の接続通路１１４′の格子パターンも接続通路１１４の格子パターンと同じであるので、引張負荷軽減装置のプラグ部分１０５は選択的に２つの隣接する接続通路１１４′の間にも挿入し、その係止開口１１６内に係止させることができる。図示された３極端子装置においてはこれは、引張負荷軽減装置においてリブ１１０を介して不動にクランプされた接続ケーブルがいまや中央の単個部材の接続個所１４に位置決めされることを意味する。
【００７７】
記述した形式で並べられた単個部材の数が多い場合には、成形部分１０５が例えばその横脚部で互いに当接して接合されるように複数の引張負荷軽減装置が設けられていることができる。
【００７８】
記述した形式で引張負荷軽減装置を取付けることは単個部材の接続個所１４，１６の構成とは無関係であり、ひいてはその機能とも無関係である。原則的には接続通路１１４が記述した形式でウエブ１１５で両方の部分ケーシング２，３(２ａ，２ｂ；３ａ，３ｂ）に設けられているか又はただ他方の部分ケーシング３（３ａ，３ｂ）だけがこのような接続通路をもって構成されている実施例も考えられる。
【００７９】
記述した引張負荷軽減装置の利点は引張負荷軽減装置が端子装置を例えば照明具内に組立てたあとで、あとから端子装置の固定を解くことなく差込むことができることである。引張負荷軽減装置は端面側に差込まれたソケット部分１０５を有しているので、固定的にクランプされたケーブルから接続個所へ通じる導線のために短い簡単な導線路が得られる。
【００８０】
ケーシング１が図示のように垂直に２つの部分ケーシング２，３（図１から図４）に分割されていることにより、部分ケーシングのためにはきわめて簡単で、スライダのない射出成形工具で製造できる射出成形品が得られるようになる。これは数少ない異なる射出成形工具だけを準備しておけばすみ、端子のヴァリエーションの数が多数であるにも拘らず、その構成費用が少なくなることを意味する。
【図面の簡単な説明】
【図１】導線をねじなしで接続するための単個部材の形をした本発明の接続兼結合端子の斜視図。
【図２】図１の接続兼結合端子を分解して示した斜視図。
【図３】図１の接続兼結合端子を図１のＩＩＩ−ＩＩＩ線に沿って断面した、異なる寸法で示した側面図。
【図４】挿入されたアースプラグを有する、図３に示された接続兼結合端子を図３に相応する断面図で示した図。
【図５】図３の接続兼結合端子のアースＵ字形部材と金属製の基板における孔との関係を係止されていない状態で示した平面図。
【図６】図５のアースＵ字形部材を係止された状態で示した図。
【図７】ねじなしのクランプ接触個所とねじクランプ接触個所とを有する、本発明による接続兼結合端子の第２実施例の斜視図。
【図８】図７の接続兼結合端子の部分ケーシングを接触ばねとクランプばねと共に分解状態で、異なる寸法で示した斜視図。
【図９】図７の接続兼結合端子を図７の矢印ＩＸの方向から見た図。
【図１０】図８の部分ケーシングの平面図。
【図１１】図７の接続兼結合端子に似た実施例を、配属された精密安全装置と共に、精密安全装置のカバーを取外した状態で示した分解図。
【図１２】図１の接続兼結合端子を図１１のＸＩＩ−ＸＩＩ線に沿って断面した側面図。
【図１３】図１１の接続兼結合端子の前方の部分ケーシングを断面して示した図。
【図１４】図１３の接続兼結合端子を接触ばねが挿入されかつ精密安全装置のカバーが取外された状態で示した図。
【図１５】図１４の接続兼結合端子の接触ばねを前方から見た図。
【図１６】図１５の接触ばねを後ろから見た図。
【図１７】図１４の接続兼結合端子の第２の接触ばねの平面図。
【図１８】図１１の２つの接続兼結合端子から組立てられた端子装置を、外部の配線の導体のための引張負荷軽減装置の１つの取付け可能性と共に示した分解斜視図。
【図１９】図１１の３つの接続兼結合端子から組立てられた端子装置を、外部の配線の導体のための引張負荷軽減装置の別の取付け可能性と共に示した分解斜視図。
【符号の説明】
１  ケーシング、  ２，３  部分ケーシング、  ４  支持面、  ５  分離面、６，７  係止クランプ、  ８，９  アーム、  １０，１１  係止アーム、  １４，１６  接続個所、  １８，１９  接続個所、  ２０  接触ばね、  ２１，２２，２３  脚部、  ２４  舌状部、  ２６  導入斜面、  ２７  切断クランプスリット、  ２８  クランプばね、  ２９  切欠き、  ３０  孔、  ３１，３２  導線導入通路、  ３３，３４  円筒状の区分、  ３５  縁、  ３６  脚部、  ３８  解離キー、  ３９  シャフト、  ４０  長手方向案内、  ４３，４４  支持面、  ４５  ケーシング部分、  ４６  切欠き、  ４７，４８  導入スリット、４９  凹部、  ５０，５１  連結部分、  ５２  Ｔ字溝、  ５３  係止突起、５４  係止溝、  ５５  固定コッタ、  ５６  支持肩、  ５７  係止突起、  ５８  接続個所、  ５９  プラグ部分、  ６０，６１  アースＵ字形部材、  ６２  導入通路、  ６３  差込みブッシュ、  ６５  ロック舌状部、  ６７  ロックフィンガ、  ６８  肩、  ６９  縁、  ７０  開口、  ７１  基板、  ７２  孔、  ７３  成形部分、  ７４  縁、  ７５  孔、  ７６  係止部、  ７７  肩、  ７９  舌状部、  ８０  開口、  ８２  ロック舌状部、  ８６  ねじ孔、  ８７  締付けねじ、  ９０  開口、  ９２  安全装置ケーシング、  ９３  ケーシング部分、  ９４  安全装置保持クランプ、  ９５  精密安全装置、  １００カバー部分、  １０２，１０３  クランプアーム、  １０５  ソケット部分、１０６  バンドヒンジ、  １０８  締付けねじ、  １０９  ねじ孔、  １１０クランプリブ、  １１１  長手方向脚部、  １１２  係止フィンガ、  １１３係止フック、  １１４，１１５  接続通路、  １１６  係止開口、  １１７  ウエブ部分、  ２００  アースプラグ、  ２０１  プラグ部分、  ２０２  長手方向縁、  ２０３  孔
【図１】
0003688338.tif 000002
【図２】
0003688338.tif 000003
【図３】
0003688338.tif 000004
【図４】
0003688338.tif 000005
【図５】
0003688338.tif 000006
【図６】
0003688338.tif 000007
【図７】
0003688338.tif 000008
【図８】
0003688338.tif 000009
【図９】
0003688338.tif 000010
【図１０】
0003688338.tif 000011
【図１１】
0003688338.tif 000012
【図１２】
0003688338.tif 000013
【図１３】
0003688338.tif 000014
【図１４】
0003688338.tif 000015
【図１５】
0003688338.tif 000016
【図１６】
0003688338.tif 000017
【図１７】
0003688338.tif 000018
【図１８】
0003688338.tif 000019
【図１９】
0003688338.tif 000020